【事件の表示】
　特願２００４−３５３６２９「イソシアヌル酸化合物と安息香酸化合物との反応生成物を含む反射防止膜形成組成物」拒絶査定不服審判事件〔平成１７年１１月１７日出願公開、特開２００５−３２１７５２〕について、次のとおり審決する。
【結　論】
　本件審判の請求は、成り立たない。
【理　由】
１．手続の経緯
　本願は、平成１６年１２月７日（優先権主張　平成１６年４月９日）に特許出願され、平成２０年７月１１日付で拒絶査定がなされ、それに対して同年８月７日に拒絶査定不服の審判請求がなされ、同年８月２８日に手続補正書が提出され、その後当審において平成２１年４月２２日付で審尋がなされ、同年６月２２日に回答書が提出されたものである。
　
２．平成２０年８月２８日付手続補正について
　平成２０年８月２８日付手続補正について、以下のとおり決定する。　
　
【補正却下の決定の結論】
　平成２０年８月２８日付手続補正を却下する。
　
【理由】
２−１．補正の内容
　平成２０年８月２８日付手続補正(以下、「本件補正」という。)は、同年５月３０日付手続補正書によって補正された特許請求の範囲
「【請求項１】
式（１）：
【化１】
（式中Ｒ１は炭素原子数１〜６のアルキル基、ベンジル基、２−プロペニル基、２，３−エポキシプロピル基、またはフェニル基を表す）で表される化合物とブロモ基又はヨード基を有するヒドロキシ安息香酸化合物との反応生成物、架橋性化合物、溶剤、及び酸化合物を含む反射防止膜形成組成物。」
を
「【請求項１】
式（１）：
【化１】
（式中Ｒ１は炭素原子数１〜６のアルキル基、ベンジル基、２−プロペニル基、２，３−エポキシプロピル基、またはフェニル基を表す）で表される化合物とブロモ基又はヨード基を有するヒドロキシ安息香酸化合物との反応生成物、
その反応生成物のオリゴマー
に補正する事項を含むものである。（下線は、当審が付与。）
　
２−２．補正の目的の適否
　この補正（以下、「本件補正」という。）は、補正前の【請求項１】に記載した発明を特定するための事項である「反射防止膜形成組成膜」の成分について「その反応生成物のオリゴマー」を追加して成分を限定するものであるから、特許請求の範囲の減縮を目的とするものである。
　よって、本件補正は、平成１８年法律第５５号改正第３条第１項によりなお従前の例によるとされる同法による改正前（以下、「平成１８年改正前」という。）の特許法第１７条の２第４項第２号に掲げる事項を目的とするものに該当する。
　
２−３．独立特許要件
　そこで、本件補正後の前記請求項１に係る発明（以下、「本願補正発明」という。また、本件補正後の明細書を「本願補正明細書」という。）が、特許出願の際独立して特許を受けることができるものであるか（平成１８年改正前の特許法第１７条の２第５項において準用する同法第１２６条第５項の規定に適合するか）について、以下に検討する。
　
（１）先願
　特願２００５−５０１０１７号（特許第４１７１９２０号）（原査定における先願３。以下、「先願」という。）
　
（２）先願の手続の経緯
平成１５年１０月　８日　　出願
　（優先権主張平成１４年１０月９日及び平成１５年５月２日）
平成２０年　３月２５日付　拒絶理由
平成２０年　６月　２日　　意見書・手続補正書
平成２０年　７月１６日　　特許査定
平成２０年　８月２２日　　登録
　
（３）先願の請求項に係る発明
　先願の請求項７に係る発明及び請求項５が引用する請求項に係る発明は、以下のとおりである。
「【請求項１】
窒素原子上の置換基としてヒドロキシアルキル構造を有するトリアジントリオンオリゴマー化合物又は窒素原子上の置換基としてヒドロキシアルキル構造を有するトリアジントリオン高分子化合物を含み、
　前記窒素原子上の置換基としてヒドロキシアルキル構造を有するトリアジントリオンオリゴマー化合物又は前記窒素原子上の置換基としてヒドロキシアルキル構造を有するトリアジントリオン高分子化合物は、少なくとも二つのトリアジントリオン環がその窒素原子上で下記式（４）で表される連結基によって連結した構造を有するトリアジントリオンオリゴマー化合物又はトリアジントリオン高分子化合物である反射防止膜形成組成物（式中Ａ1、Ａ2及びＡ3はそれぞれ水素原子、メチル基又はエチル基を表し、各Ｙはそれぞれ直接結合又は−Ｃ（＝Ｏ）−を表し、Ａｒは炭素数１〜６のアルキル基、フェニル基、ナフチル基、ハロゲン原子、炭素数１〜６のアルコキシカルボニル基、ニトロ基、カルボキシル基、シアノ基、炭素数１〜６のアルコキシ基、水酸基、チオール基、炭素数１〜６のアルキルチオ基又はアミノ基で置換されていてもよいベンゼン環または炭素数１〜６のアルキル基、フェニル基、ナフチル基、ハロゲン原子、炭素数１〜６のアルコキシカルボニル基、ニトロ基、カルボキシル基、シアノ基、炭素数１〜６のアルコキシ基、水酸基、チオール基、炭素数１〜６のアルキルチオ基又はアミノ基で置換されていてもよいナフタレン環を表す。）。
【化１】
」
　
「【請求項３】
少なくとも二つのトリアジントリオン環がその窒素原子上で前記式（４）で表される連結基によって連結した構造を有するトリアジントリオンオリゴマー化合物またはトリアジントリオン高分子化合物は、窒素原子上に下記式（１３）で表される置換基を有する窒素原子を少なくとも二つ有するトリアジントリオン化合物と、下記式（１４）で表されるカルボキシル基及び水酸基よりなる群から選ばれる同一であるか又は異なる少なくとも二つの置換基を有するフェニル化合物又はナフタレン化合物から製造されるものであることを特徴とする請求項１に記載の反射防止膜形成組成物（式（１３）中Ａ1、Ａ2及びＡ3は請求項１に記載のものと同義であり、式（１４）中Ｙ及びＡｒは請求項１に記載のものと同義である）。
【化３】
」
　
「【請求項５】
前記式（１４）のフェニル化合物又はナフタレン化合物が下記式（１６）〜（２１）で表される化合物の群から選ばれる少なくとも一つの化合物である請求項３に記載の反射防止膜形成組成物（式中Ｂは水素原子、炭素数１〜６のアルキル基、フェニル基、ナフチル基、ハロゲン原子、炭素数１〜６のアルコキシカルボニル基、ニトロ基、カルボキシル基、シアノ基、炭素数１〜６のアルコキシ基、水酸基、チオール基、炭素数１〜６のアルキルチオ基又はアミノ基を表し、ｎは１〜６の数を表し、ｍは１〜４の数を表し、そして、ｎ、ｍが２以上の数である場合は、Ｂは同一であっても異なっていてもよい）。
【化５】
」
　
「【請求項６】
少なくとも２個の架橋形成置換基をもつ架橋剤を更に含む請求項１乃至請求項５のいずれか１項に記載の反射防止膜形成組成物。」
　　
「【請求項７】
酸及び／又は酸発生剤を更に含む、請求項１乃至請求項６のいずれか１項に記載の反射防止膜形成組成物。」（以下、「先願発明」という。）
　
　また、先願明細書には、以下の記載がある。
（ａ）【００６６】
　合成例６
　トリス−（２，３−エポキシプロピル）−イソシアヌレート（日産化学工業（株）製、商品名ＴＥＰＩＣ）０．７０ｇ、２，４，６−トリブロモ−３−ヒドロキシ安息香酸２．４４ｇ、ベンジルトリエチルアンモニウムクロリド０．０４ｇをプロピレングリコールメチルエーテル１２．７２ｇに溶解させ、窒素置換後１２５℃で２４時間反応させ、オリゴマー化合物の溶液を得た。得られたオリゴマー化合物のＧＰＣ分析を行ったところ、標準リスチレン換算にて重量平均分子量は１３００であった。
　なお、本合成例によって得られたオリゴマー化合物には、置換基式（３０）を有するトリアジントリオン化合物および連結基式（４５）によってトリアジントリオン環が連結されたオリゴマー化合物が含まれるものと推定される。
【００６７】
　合成例７
　トリス−（２，３−エポキシプロピル）−イソシアヌレート（日産化学工業（株）製、商品名ＴＥＰＩＣ）２．０ｇ、３，５−ジヨード−２−ヒドロキシ安息香酸６．７０ｇ、ベンジルトリエチルアンモニウムクロリド０．１１５ｇをプロピレングリコールメチルエーテル３５．２５ｇに溶解させ、窒素置換後１２５℃で２４時間反応させ、オリゴマー化合物の溶液を得た。得られたオリゴマー化合物のＧＰＣ分析を行ったところ、標準ポリスチレン換算にて重量平均分子量は２０００であった。
　なお、本合成例によって得られたオリゴマー化合物には、置換基式（３２）を有するトリアジントリオン化合物および連結基式（４６）によってトリアジントリオン環が連結されたオリゴマー化合物が含まれるものと推定される。」
　
（ｂ）「【００７９】
　実施例１
　上記合成例１で得たオリゴマー化合物２ｇを有する溶液１０ｇにヘキサメトキシメチルメラミン（三井サイテック（株）製、商品名サイメル３０３）０．３ｇとピリジニウム−ｐ−トルエンスルホン酸０．０３ｇを混合し、プロピレングリコールモノメチルエーテル２０ｇ、及び乳酸エチル２８ｇに溶解させ溶液とした。その後、孔径０．１０μｍのポリエチレン製ミクロフィルターを用いて濾過し、更に、孔径０．０５μｍのポリエチレン製ミクロフィルターを用いて濾過して反射防止膜形成組成物溶液を調製した。」
　
（４）対比
　本願補正発明と、先願発明とを対比する。
　
　先願明細書に拠れば、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」の、「ハロゲン原子」の事実上の選択肢としては、臭素、ヨウ素がある。
　それは、先願明細書の合成例６で「トリス−（２，３−エポキシプロピル）−イソシアヌレート（日産化学工業（株）製、商品名ＴＥＰＩＣ）０．７０ｇ、２，４，６−トリブロモ−３−ヒドロキシ安息香酸２．４４ｇ、ベンジルトリエチルアンモニウムクロリド０．０４ｇをプロピレングリコールメチルエーテル１２．７２ｇに溶解させ、窒素置換後１２５℃で２４時間反応させ、オリゴマー化合物の溶液を得た」こと、先願明細書の合成例７で「トリス−（２，３−エポキシプロピル）−イソシアヌレート（日産化学工業（株）製、商品名ＴＥＰＩＣ）２．０ｇ、３，５−ジヨード−２−ヒドロキシ安息香酸６．７０ｇ、ベンジルトリエチルアンモニウムクロリド０．１１５ｇをプロピレングリコールメチルエーテル３５．２５ｇに溶解させ、窒素置換後１２５℃で２４時間反応させ、オリゴマー化合物の溶液を得た」こと（上記ａ参照）が記載されていることから、明らかである。
　したがって、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」は、
　本願補正発明の「式（１）で表される化合物とブロモ基又はヨード基を有するヒドロキシ安息香酸化合物との反応生成物のオリゴマー」と、同じ化学構造を有する。
　してみると、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」は、実質的に本願補正発明の「式（１）で表される化合物とブロモ基又はヨード基を有するヒドロキシ安息香酸化合物との反応生成物のオリゴマー」に相当する。
　また、先願発明の「少なくとも２個の架橋形成置換基をもつ架橋剤、酸及び／又は酸発生剤を更に含む」ことは、本願補正発明の「架橋性化合物、及び酸化合物を含む」に相当する。
　
　してみると、両者は、
「式（１）：
【化１】
（式中Ｒ１は炭素原子数１〜６のアルキル基、ベンジル基、２−プロペニル基、２，３−エポキシプロピル基、またはフェニル基を表す）で表される化合物とブロモ基又はヨード基を有するヒドロキシ安息香酸化合物との反応生成物のオリゴマー、架橋性化合物、及び酸化合物を含む反射防止膜形成組成物。」
で一致し、以下の点で一応相違する。
　
（相違点１）
　本願補正発明が「溶剤」を含むのに対して、先願発明ではその点が明らかでない点。　
　
（相違点２）
　本願補正発明が「反応生成物のオリゴマー」のほかに「反応生成物」を含むのに対して、先願発明では「トリアジントリオンオリゴマー化合物」と記載されているのみである点。
　
（５）判断
（相違点１について）
　反射防止膜形成の際に、溶剤を要することは常識である。
　この点について、先願発明の「反射防止膜形成組成物」の先願明細書に記載された具体例には、本願補正発明の「溶剤」の具体例と同じ「プロピレングリコールモノメチルエーテル」が含まれている（上記ｂ参照）。
　してみると、上記相違点１は、実質的な相違点ではない。
　
（相違点２について）
　一般に、オリゴマー生成の際、オリゴマーになる前の化合物が同時に併存する。したがって、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」は、当然オリゴマーの状態でない化合物を含むと認められ、本願補正発明が「反応生成物のオリゴマー」のほかに「反応生成物」を含むことと同じであるといえる。
　
　このことについて、本願補正明細書（下線は、当審が付与。）では、
「【００７４】
　合成例１
　トリス（２，３−エポキシプロピル）イソシアヌル酸（日産化学工業（株）製、商品名ＴＥＰＩＣ）１７５ｇ、３，５−ジヨード−２−ヒドロキシ安息香酸６２８ｇ、及びベンジルトリエチルアンモニウムクロリド９．２ｇをプロピレングリコールモノメチルエーテル３２５０ｇに溶解させた後、１３０℃で２４時間反応させ反応生成物を含む溶液を得た。なお、
反応生成物には、２，３−エポキシプロピル基が式（５）の基に変換されたイソシアヌル酸化合物及び式（６）の構造を有するオリゴマー（またはポリマー）が含まれると考えられる。
【００７５】
【化４】
」と記載され、
　他方、先願明細書の合成例６及び合成例７でも、「本合成例によって得られたオリゴマー化合物には、・・・
トリアジントリオン化合物および・・・トリアジントリオン環が連結されたオリゴマー化合物が含まれるものと推定される。
化合物及び
オリゴマー化合物が含まれる
　請求人は、両者ではモル比や反応条件が異なることを指摘するが、そうであっても両者には「化合物」と「オリゴマー」が併存することが明らかである。
　したがって、上記相違点２は、実質的な相違点ではない。
　
（作用効果について）
　出願人は、以下のように主張する。
「引例３にオリゴマーでない状態の物質があったとしても、それらの中で本願発明は下記の如くブロモ基やヨード基を有するヒドロキシ安息香酸を用いることによって得られる特定化合物と特定オリゴマーに着目した発明である。これは本願明細書の段落番号００３１と合成例１に記載されているものである。 
　・・・
　本願発明では、トリアジントリオン骨格とブロモ基又はヨード基を有するヒドロキシ安息香酸との反応生成物と、その反応生成物のオリゴマーを用いる組み合わせがドライエッチング後のフォトレジストパターン形状に特徴を有することを見出したものである。これら特定の組み合わせとそれに伴う特有の効果は引例３には記載がない。特定の化合物と特定のオリゴマーの組み合わせを含む材料を用いることにより、引例３には記載がなく、予想できない効果を生じるものであるから本願発明は引例３に記載されたものとはいえない。」
　しかし、上記（相違点２について）の欄で検討したように、先願発明でも本願補正発明と同様に「化合物」と「オリゴマー」が併存することが明らかである以上、先願発明でも本願補正発明と同様の作用効果を有すると言わざるを得ない。
　
（６）まとめ
　本願補正発明は先願発明と実質的に同一であるから、特許法第３９条第１項の規定により特許を受けることができない。 
　
２−４．補正の却下の決定のむすび 
 　以上のとおり、この補正は、平成１８年改正前の特許法第１７条の２第５項において準用する同法第１２６条第５項の規定に違反するので、その余のことを検討するまでもなく、この補正を含む本件補正は、同法第１５９条第１項の規定において読み替えて準用する同法第５３条第１項の規定により却下すべきものである。 
　
３．本願発明について
３−１．本願発明
　平成２０年８月２８日付手続補正（本件補正）は上記のとおり却下されたから、この出願の発明は、同年５月３０日付手続補正書により補正された明細書（以下、「本願明細書」という。）の記載からみて、その特許請求の範囲の請求項１〜９に記載されたとおりのものであるところ、請求項１に係る発明（以下、「本願発明」という。）は、次のとおりのものである。 
　
「【請求項１】
式（１）：
【化１】
（式中Ｒ１は炭素原子数１〜６のアルキル基、ベンジル基、２−プロペニル基、２，３−エポキシプロピル基、またはフェニル基を表す）で表される化合物とブロモ基又はヨード基を有するヒドロキシ安息香酸化合物との反応生成物、架橋性化合物、溶剤、及び酸化合物を含む反射防止膜形成組成物。」
　
４．先願
　２−３．（１）に記載されたとおりである。
　
５．先願の請求項に係る発明
　２−３．（３）に記載されたとおりである。
　
６．対比
　本願発明と、先願発明とを対比する。
　
　先願明細書に拠れば、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」の、「ハロゲン原子」の事実上の選択肢としては、臭素、ヨウ素がある。
　それは、先願明細書の合成例６で「トリス−（２，３−エポキシプロピル）−イソシアヌレート（日産化学工業（株）製、商品名ＴＥＰＩＣ）０．７０ｇ、２，４，６−トリブロモ−３−ヒドロキシ安息香酸２．４４ｇ、ベンジルトリエチルアンモニウムクロリド０．０４ｇをプロピレングリコールメチルエーテル１２．７２ｇに溶解させ、窒素置換後１２５℃で２４時間反応させ、オリゴマー化合物の溶液を得た」こと、合成例７で「トリス−（２，３−エポキシプロピル）−イソシアヌレート（日産化学工業（株）製、商品名ＴＥＰＩＣ）２．０ｇ、３，５−ジヨード−２−ヒドロキシ安息香酸６．７０ｇ、ベンジルトリエチルアンモニウムクロリド０．１１５ｇをプロピレングリコールメチルエーテル３５．２５ｇに溶解させ、窒素置換後１２５℃で２４時間反応させ、オリゴマー化合物の溶液を得た」こと（上記ａ参照）が記載されていることから、明らかである。
　したがって、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」は、
　本願発明の「式（１）で表される化合物とブロモ基又はヨード基を有するヒドロキシ安息香酸化合物との反応生成物」と、同じ化学構造を有する。
　してみると、先願発明の「式（１３）で表される置換基を有する窒素原子を少なくとも二つ有するトリアジントリオン化合物と、」「式（２０）で表される」「フェニル化合物から製造される」「少なくとも二つのトリアジントリオン環がその窒素原子上で」「式（４）で表される連結基によって連結した構造を有するトリアジントリオンオリゴマー化合物（式中Ｂはハロゲン原子を表す）」は、実質的に本願発明の「式（１）で表される化合物とブロモ基又はヨード基を有するヒドロキシ安息香酸化合物との反応生成物」に相当する。
　また、先願発明の「少なくとも２個の架橋形成置換基をもつ架橋剤、酸及び／又は酸発生剤を更に含む」ことは、本願発明の「架橋性化合物、及び酸化合物を含む」に相当する。
　
　してみると、両者は、
「式（１）：
【化１】
（式中Ｒ１は炭素原子数１〜６のアルキル基、ベンジル基、２−プロペニル基、２，３−エポキシプロピル基、またはフェニル基を表す）で表される化合物とブロモ基又はヨード基を有するヒドロキシ安息香酸化合物との反応生成物、架橋性化合物、及び酸化合物を含む反射防止膜形成組成物。。」
で一致し、以下の点で一応相違する。
　
（相違点１）
　本願発明が「溶剤」を含むのに対して、先願発明ではそれらの点が明らかでない点。
　
７．判断
　２−３．（５）の「（相違点１について）」に記載されたとおりである。
　
８．結び
　以上のとおり、本願発明は先願発明と同一であるから、特許法第３９条第１項の規定により特許を受けることができないものであるから、その余について検討するまでもなく、本願は、拒絶すべきものである。 
 　 
 　よって、結論のとおり審決する。